(57)【要約】【課題】表板の特定の領域を振動させることにより、弦楽器の音特性の向上を図ることの可能な弦楽器を提供する。【解決手段】ギター１は、表板２等を有するボディ８を具備し、該表板２の表板内面１５に沿って平行になるように配設される長手形状の横架連結部１６と、横架連結部１６のそれぞれの両端から長手方向に直交するように曲折された一対のコーン連結脚１７ａ，１７ｂと、横架連結部１６の中央付近からコーン連結脚１７ａ等の突出方向に沿って設けられたブリッジ連結脚１８を有するブレースバー３が表板３に取付けられている。また、表板２には凹状に切削加工された一対の凹部２１ａが形成され、ブレースバー３のコーン連結脚１７ａ等は、該凹部２１ａ等に貼着された薄板状のコーン部４と接続されている。【選択図】図２
2010049289.tif 000002
【特許請求の範囲】
【請求項１】
表板、側板、及び裏板を有し、内部が中空状に形成されたボディを具備する弦楽器であって、
前記表板の表板外面におけるブリッジの取付位置に相対する前記表板内面の位置を間に挟むように、前記表板の表板内面に少なくとも一対設けられた、円形または楕円形を形成する所定間隔の隙間、を備える振動調整手段を具備し、
前記所定間隔の隙間は、前記表板内面に凹状に形成された凹部と前記凹部の外周形状に略一致し凹部側壁から所定間隔を保持して前記凹部内に緩挿して貼着された薄板状の振動コーン部を有するコーン振動調整部において前記凹部側壁と前記振動コーン部の外周面との間に形成され、または、前記表板内面に所定幅の溝状に穿設された溝部と前記溝部によって囲まれた凸部を有する溝部振動調整部における前記溝部により形成されている
ことを特徴とする弦楽器。
【請求項２】
前記振動調整手段は、
前記振動コーン部または前記凸部と連結される一対のコーン連結脚及び互いの前記コーン連結脚同士を横架し、前記表板内面に沿って連結する横架連結部を有し、前記表板内面と少なくとも二箇所で接続されるブレースバーを
さらに具備することを特徴とする請求項１に記載の弦楽器。
【請求項３】
前記表板の表板外面に取設されたブリッジの上方位置または下方位置の少なくともいずれか一方の前記表板内面に設けられ、前記表板を貫通するように穿設された貫通孔部と、
前記貫通孔部に緩挿され、または前記貫通孔部を略閉塞するように被せられた第二振動コーン部とをさらに具備し、
前記横架連結部は、前記コーン連結脚、及び前記第二振動コーン部と連結される第二コーン連結脚、を横架し前記表板内面に沿って連結し、前記第二振動コーン部を前記貫通孔部に緩挿された状態で、または前記貫通孔部を略閉塞するように被せられた状態で支持している
ことを特徴とする請求項２に記載の弦楽器。
【請求項４】
前記ブレースバーは、
前記横架連結部から垂下するように設けられ、前記位置に接続されたブリッジ連結脚をさらに具備することを特徴とする請求項２に記載の弦楽器。
【請求項５】
前記位置に設けられたバー基礎部、及び前記バー基礎部から前記ブリッジの長手方向に対して直交する方向に延設された長棒状の振動部を有し、Ｔ字形状若しくはＬ字形状に形成されたブレースバーと、
前記振動部の先端から垂設され、前記振動部と前記裏板の裏板内面との間を接続する魂柱と
を具備することを特徴とする請求項１に記載の弦楽器。
【発明の詳細な説明】
【技術分野】
【０００１】
本発明は、弦楽器に関するものであり、特に、アコースティック・ギター等の弦楽器の表板内面に取付けられ、弦楽器のボディを補強して支持する機能を有するとともに、表板の振動による響きを調整することが可能なブレースバーを具備する弦楽器に関するものである。
【背景技術】
【０００２】
従来から、張設された弦の振動を中空のボディの内部で共鳴させ、表板を振動させることにより、それぞれの弦楽器に特有の音色を響かせることが可能なギター等の弦楽器が製作されている。ここで、一般的なギターを例にして説明すると、係るギターは、その主たる構成として、表板、側板、及び裏板によって内部が中空状に形成されるボディと、該ボディから上方に突出するように設けられたネックと、ネックの上面に接着される指板と、ボディの表板外面の中央部分に設けられたブリッジと、表板内面に設けられた表板補強用の複数のブレースバーと、ネックの先端に設けられたヘッドと、ブリッジ及びヘッドの間に張設された複数本の弦（例えば、ギターの場合は、一般に６本）とを主に具備している。
【０００３】
ここで、ボディの表板内面に取付けられる複数本のブレースバーは、前述したように、表板の強度を補強するための役割を有するとともに、係るブレースバーのレイアウト、長さ、材質、形状等により、音の強度、音色、又は共鳴等の弦楽器の音特性に大きな影響を及ぼすことが知られている。そのため、弦楽器の製作者は、係るブレースバーの取付及びレイアウト等に細心の注意を払っている。
【０００４】
一般に、ブレースバーは、木材等を加工した棒状の部材から構成されるものであり、平板状の表板の表板内面に密着して固定可能なように、少なくとも一面に平らな面が設けられている。そして、表板とは、一般に弦楽器製作に使用される接着剤を利用し、上述の平らな面に接着剤を塗布することによって貼り合わされている。ここで、複数本のブレースバーのレイアウトは、表板中央に貫設されたサウンドホールの下方位置からボディの下端に向かって扇状に配設されるものが一般的に知られている。さらに、表板の高音振動領域及び低音振動領域でそれぞれブレースバーの長さや形状、材質等を変化させる試みも行われている。
【０００５】
また、複数本のブレースバーを上記のように単純に扇状にレイアウトするものに限られるものではなく、長短のブレースバーを縦横に配置し、音特性を向上させるものが知られている（例えば、特許文献１参照）。また、ブレースバーのそれぞれの両端部を先端から中央付近に向かって傾斜するように加工するものもあり、表板の配置位置に合わせて傾斜角度を変化させるような調整も図られている。
【先行技術文献】
【特許文献】
【０００６】
【特許文献１】特許第３８４７７４６号公報
【発明の概要】
【発明が解決しようとする課題】
【０００７】
しかしながら、上述したようなギター等の弦楽器は、ブレースバー全体が表板内面に沿って密着するように貼合わせたものであり、表板全体を平均的に振動させるものであった。すなわち、表板の特定の領域（スポット）を集中して振動させるような構成のものは従来は存在していなかった。
【０００８】
ここで、音は従来から周知のように、一点の発生源から発生した音は、波動としてその周囲に伝搬するものであり、特定の領域を強く振動させることができる。
【０００９】
そこで、本発明は、上記実情に鑑み、表板の特定の領域（スポット）を振動させることにより、表板全体を共鳴させ、弦楽器の音特性の向上を図ることの可能な弦楽器を提供することを課題とするものである。
【課題を解決するための手段】
【００１０】
上記課題を解決するため、本発明の弦楽器は、「表板、側板、及び裏板を有し、内部が中空状に形成されたボディを具備する弦楽器であって、前記表板の表板外面におけるブリッジの取付位置に相対する前記表板内面の位置を間に挟むように、前記表板の表板内面に少なくとも一対設けられた、円形または楕円形を形成する所定間隔の隙間、を備える振動調整手段を具備し、前記所定間隔の隙間は、前記表板内面に凹状に形成された凹部と前記凹部の外周形状に略一致し凹部側壁から所定間隔を保持して前記凹部内に緩挿して貼着された薄板状の振動コーン部を有するコーン振動調整部において前記凹部側壁と前記振動コーン部の外周面との間に形成され、または、前記表板内面に所定幅の溝状に穿設された溝部と前記溝部によって囲まれた凸部を有する溝部振動調整部における前記溝部により形成されている」ものである。
【００１１】
ここで、弦楽器とは、例えば、弦の振動を利用して音を発生する楽器であり、その一例を挙げると、バイオリン、ビオラ、チェロ、コントラバス等の弦を弓等で擦って振動させる擦弦楽器、ピアノ等の弦を叩いて振動させる打弦楽器、及びギター、マンドリン、リュート等の指等で弦を弾いて振動させる撥弦楽器などが知られている。これらは、いずれも弦の振動を共鳴させることによって大きな音を発生させるものである。なお、本発明は、内部に中空状のボディを備える弦楽器を想定するため、主に擦弦楽器または撥弦楽器がその対象として挙げられる。
【００１２】
また、コーン振動調整部の振動コーン部とは、木材等を例えば、薄板状に加工したものであって、スピーカーに用いられるスピーカーコーンのように振動によって音の伝搬を可能とする振動板として作用するものである。このとき、薄板状の振動板は表板内面に接着剤等によって貼着されるため、振動板の振動が表板に伝達され、表板全体が振動することとなる。さらに、音の振動は、前述したように、波動として伝わるため、該振動板を中心として表板には、略同心円状に音が拡がることとなる。ここで、振動板の形状は、特に限定されないが、音の拡がりに合わせ、或いは音の伝搬を阻害しないようにするために、例えば、円形状、楕円形状、或いは洋なし形状等の主に曲線から形成された外周形状を有するものが好適と考えられる。さらに、コーン振動部の素材は、前述した木材に限定されるものではなく、金属、ガラス、紙等の木材以外の素材を用いるものであってもよい。また、木材を用いた場合でも、目的とする音特性を得るために、使用する木材の材質や硬度等を適宜変化させるものであってもよい。また、振動コーン部の形状は、特に限定されないが、例えば、平板状、円錐状、半円球状、及び波形状の少なくともいずれか一つの形状で構成されるものであってもよい。
【００１３】
一方、凹部とは、表板を凹状に切削したものである。ここで、上述のコーン振動部を単に表板内面に貼着することも想定されるが、音の伝搬をより確実に行うために振動板の外形状と略一致するような凹部側壁の内周形状を有するように凹部が形成される。さらに、係る凹部は、緩挿されるコーン振動部の形状に略一致するように加工されているため、振動板が緩挿された状態では、凹部側壁と振動板の外周壁との間に所定の間隔が保持されている。ここで、凹部は表板内面等を凹状に切削加工したりするもの等が例示される。
【００１４】
また、溝部振動調整部とは、表板の表板内面及び裏板の裏板内面の少なくともいずれか一方を、溝状に穿設した溝部と溝部によって囲まれた所定形状（例えば、楕円形状）の凸部を有している。ここで、凸部の上面は、表板内面または裏板内面に一致している。すなわち、側方から見ると、溝部の最深部の位置から上方（ボディの内部の空間方向）に突出するように構成されている。なお、凸部の上面に、コーン振動調整部の薄板状の振動コーン部を貼着するものであっても構わない。これらのコーン振動調整部及び溝部振動調整部が表板及び／または裏板の振動を調整することとなる。
【００１５】
したがって、本発明の弦楽器によれば、表板の表板内面或いは裏板の裏板内面を形成し、凹部を形成し、係る凹部にコーン振動部を緩挿するように嵌込んで貼着すること、若しくは表板内面及び裏板内面に溝部及び凸部を形成することにより、弦楽器の共鳴を長く持続することができ、発生する音を大きくする等の音の特性を変化させることが可能となる。ここで、コーン振動部に使用される材質の一例としては、表板とは異なる松、杉、ラワン等の木材を使用することが可能である。なお、表板及び裏板のいずれに係る凹部を設けたものであっても、上記の音特性を向上させる作用を奏することが期待される。
【００１６】
ここで、ギター等の弦の一般的な配置から、表板内面を内部正面から視た場合、向かって左方側が短い波長からなる高音を発生させる高音振動領域とされ、向かって右方側が長い波長からなる低音を発生させる低音振動領域とされることが知られている。そこで、高音振動領域には、高い周波数で共鳴するような振動面積が小さく、かつ／または硬質からなる材料を選択し、振動コーン部を形成し、一方、低音振動領域には、低い周波数で共鳴するような振動面積が比較的大きく、かつ／または軟質からなる材料を選択し、振動コーン部として形成することにより、振動コーン部のみで音特性の調整を図る場合、ブレースバーを利用する場合のいずれであっても良好な音特性の調整が可能となる。なお、係るサイズ及び素材等の選択は、第二振動コーン部に対しても同様に行うものであっても構わない。
【００１７】
また、本発明の弦楽器は、上記構成に加え、「前記振動調整手段は、前記振動コーン部または前記凸部と連結される一対のコーン連結脚及び互いの前記コーン連結脚同士を横架し、前記表板内面に沿って連結する横架連結部を有し、前記表板内面と少なくとも二箇所で接続されるブレースバーを具備する」ものであっても構わない。
【００１８】
ここで、ブレースバーとは、上述した振動コーン部と接続される一対のコーン連結脚及びコーン連結脚を横架して連結する横架連結部を有するものである。すなわち、従来のような、ブレースバーと異なり、表板内面と面接触をするのではなく、コーン連結脚を介して点（或いはスポット）で連結されるものである。ここで、ブレースバーには、上述した振動コーン部と同様に表板とは異なる松、杉、ラワン等の木材を使用することが可能な他、アルミニウム及び銅等の金属類、ＣＦＲＰ（炭素繊維強化プラスチック）等の複合材料、或いは、その他ガラスや紙等の材質のものを使用することもできる。また、コーン連結脚と振動コーン部の間の連結は、例えば、通常の接着剤を使用するものであってもよい。
【００１９】
したがって、本発明の弦楽器によれば、振動コーン部による音特性の向上に加え、ブレースバーによる効果によって、弦楽器の音特性をさらに向上させることができる。さらに、ブレースバーによって、表板を少なくとも二点で支持することができ、従来のブレースバーと同様に、表板の強度を支持し、補強する機能を併せて有することになる。
【００２０】
また、本発明の弦楽器は、上記構成に加え、「前記表板の表板外面に取設されたブリッジの上方位置または下方位置の少なくともいずれか一方の前記表板内面に設けられ、前記表板を貫通するように穿設された貫通孔部と、前記貫通孔部に緩挿され、または前記貫通孔部を略閉塞するように被せられた第二振動コーン部とをさらに具備し、前記横架連結部は、前記コーン連結脚、及び前記第二振動コーン部と連結される第二コーン連結脚、を横架し前記表板内面に沿って連結し、前記第二振動コーン部を前記貫通孔部に緩挿された状態で、または前記貫通孔部を略閉塞するように被せられた状態で支持している」ものであっても構わない。
【００２１】
ここで、凹部、振動板、及びブレースバーに係る構成は、既に説明したものと略同一であるため、ここでは説明を省略する。さらに、貫通孔部は、表板の表板内面を貫通するように設けられるものである。なお、一般的なギターの場合、表板の略中央付近には、内部で共鳴した音を放射するためにサウンドホールと呼ばれる円形状の孔が設けられている。そして、該貫通孔部は、ブリッジの上方または下方に、例えば、当該サウンドホールよりも小径に設けられ、謂わば「補助のサウンドホール」としての機能を有している。このとき、貫通孔部には、第二振動コーン部が緩挿し、貫通孔部の貫通孔壁に触れないように所定の間隔を保持するようにコーン連結脚に支持されている。すなわち、貫通孔部の孔を塞ぐとともに、貫通孔部に緩挿された状態で弦の振動に応じて自由に振動することが可能となっている。その結果、発生する音の特性の調整を図ることができる。
【００２２】
したがって、本発明の弦楽器によれば、補助のサウンドホールとなる貫通孔部が複数設けられ、それぞれに第二振動コーン部が緩挿して支持されるため、ブレースバーを通し、直接第二振動板を振動させることで、音が外部に発せられる。これにより、従来のブレースバーでは発生させることのできなかった複雑な音を生じさせることが可能となる。なお、表板の貫通孔部は、必ずしも全体が穿孔されている必要はなく、音を振動板から放射しやすくするため、スリット状及び格子状のように、一部に孔部が設けられているものであれば構わない。
【００２３】
さらに、本発明の弦楽器は、上記構成に加え、「前記横架連結部から垂下するように設けられ、前記位置に接続されたブリッジ連結脚」を具備するものであっても構わない。
【００２４】
したがって、本発明の弦楽器によれば、一対のコーン連結脚及びブリッジ連結脚によって少なくとも三点でブレースバーが表板内面に支持されることになり、或いはコーン連結脚及びブリッジ連結脚の少なくとも二点でブレースバーが表板内面に支持されることになる。これにより、ブレースバーが表板に安定して取付けられることになる。さらに、ブリッジ連結脚がブリッジの取付位置に相対するように設けられることから弦の振動がブリッジを介して表板に伝搬し、当該表板の振動がブリッジ連結脚を通じてブレースバーに伝わることとなる。これにより、弦楽器の音特性をさらに良好なものに変化させることが可能となる。
【００２５】
ここで、ブレースバーの形状は、特に限定されないが、横架連結部を交差させ、Ｘ字形状またはＶ字形状、若しくはこれらを組合わせて形成されることができる。係る形状によれば、一対（二本）の横連結部がＸ字形状またはＶ字形状、若しくはこれらを組合わせて形成され、互いに少なくとも一点で交差するようにしてブレースバーが形成されている。これにより、表板の支持が少なくとも三点で行われることとなり、上記の作用に加え、弦楽器によって発生する音の音特性の調整をさらに詳細に行うことが可能となる。ここで、ブレースバーの形状の一例を説明すると、例えば、ブリッジ付近で交差するようにしたＸ字形状、或いはブリッジ付近で屈曲したＶ字形状、さらには、三本の横架連結部を組合わせ、中心付近で交差するようにした“＊”形状等にすることが可能である。
【００２６】
一方、本発明の弦楽器は、「前記位置に設けられたバー基礎部、及び前記バー基礎部から前記ブリッジの長手方向に対して直交する方向に延設された長棒状の振動部を有し、Ｔ字形状若しくはＬ字形状に形成されたブレースバーと、前記振動部の先端から垂設され、前記振動部と前記裏板の裏板内面との間を接続する魂柱と」を具備する。
【００２７】
したがって、本発明の弦楽器によれば、表板内面に取設されたＴ字形状若しくはＬ字形状のブレースバーと、ブレースバーの振動部と裏板内面との間を接続する魂柱を有して構成されている。この状態で、弦楽器の弦を弾くとブリッジを介して表板が振動し、さらにボディ内部の空気が振動する。さらに、表板内面に取付けられたブレースバー及び魂柱が表板及び裏板の間を架渡すように設けられ、魂柱の柱先端部が裏板の裏板内面と当接している。そのため、弦の振動を係るブレースバー及び魂柱によっても伝えることが可能となる。特に、魂柱は、ブリッジに対して直交するように配された長棒状の振動部を有するブレースバーに取付けられているため、ブリッジを介してブリッジの下位置にある裏板にそれぞれ伝達することが可能となる。その結果、弦楽器による音の特性の向上を図ることができるようになる。なお、魂柱及びブレースバー等は、前述した場合と同様、木材、金属、プラスチック樹脂等の各種素材を使用するものであっても構わない。さらに、魂柱の柱先端部と裏板内面とは、接着剤等の固定手段によって強固に固定されている必要はなく、ブレースバーと裏板との間に挟み込まれているものであってもよい。また、ブレースバーの形状は、ブリッジに相対する表板内面の位置を中心に弦楽器の長手方向に沿って両方向に振動部を延設したＴ字形状のものであっても、或いはブリッジに相対する表板内面の位置から一方向に振動部を延設したＬ字形状のものであっても構わない。さらに、Ｔ字形状であっても、バー基礎部の取付位置から振動部の互いの先端位置までの長さが異なるものであっても構わない。これらの設定の変更により、弦楽器の音特性を調整することが可能となる。
【発明の効果】
【００２８】
本発明の効果として、弦楽器は、表板または裏板のそれぞれの内面に凹状に切削加工した凹部を設け、当該凹部に薄板状の振動コーン部を所定形状にカットして貼着することにより、弦楽器の音特性を改質することができ、音量が大で、共鳴の持続する良好な音特性の弦楽器とすることができる。さらに、中空空間に魂柱及びＴ字形状等のブレースバー等の各種構成を配し、中空空間内での音の振動を変化させ、音特性の向上を図ることができる。
【図面の簡単な説明】
【００２９】
【図１】第一実施形態のギターの概略構成を示す説明図である。
【図２】ギターの表板の構成及びブレースバーのレイアウトを示す説明図である。
【図３】ブレースバー及び振動コーン部の構成を示す説明図である。
【図４】ブレースバーの取付けられた表板の構成を示すＡ−Ａ概略断面図である。
【図５】第二実施形態のギターの表板の構成及びブレースバーのレイアウトを示す説明図である。
【図６】ブレースバーの取付けられた表板の構成を示すＢ−Ｂ概略断面図である。
【図７】第三実施形態のギターの表板の構成を示す断面図である。
【図８】第四実施形態のギターのブレースバー及び魂柱の構成を示す（ａ）内部構造を示す説明図、（ｂ）Ｃ−Ｃ断面図、（ｃ）ブレースバーの構成を示す斜視図である。
【発明を実施するための形態】
【００３０】
以下、本発明の第一実施形態であるギター１について、図１乃至図４に基づいて説明する。ここで、図１は第一実施形態のギター１の概略構成を示す説明図であり、図２はギター１の表板２の構成及びブレースバー３のレイアウトを示す説明図であり、図３はブレースバー３及び振動コーン部４（以下、「コーン部４」と称す）の構成を示す説明図であり、図４はブレースバー３の取付けられた表板２の構成を示すＡ−Ａ概略断面図である。ここで、ギター１が本発明の弦楽器に相当する。なお、本実施形態において図示するギター１は、一般的なアコースティック・ギターを例にして説明するものとする。
【００３１】
本実施形態のギター１は、図１乃至図４に示すように、表板２、側板６、及び裏板（図示しない）によって内部が中空形状に形成されたボディ８と、ボディ８から上方に突出するように設けられたネック９と、ネック９の上面に接着される指板１０と、ボディ８の表板外面５の中央付近に設けられたブリッジ１１と、ネック９の先端に設けられたヘッド１２と、ブリッジ１１及びヘッド１２の間に張設された弦１３とを具備して主に構成されている。ここで、ボディ８等のギター１の主要構成部材は、一般のアコースティック・ギターと同様に木材を加工することによって形成されており、弦１３等の一部構成については金属等が用いられている。
【００３２】
さらに、ギター１の表板２は、ボディ８の内側から観察すると、図２に示すように、表板２の中央付近に円形状のサウンドホール１４が貫設され、さらにサウンドホール１４の下方に複数の略Ｅ字形状のブレースバー３が取付けられている。ここで、ブレースバー３の取付けについてさらに詳述すると、ブレースバー３は、木材を加工することによって、横方向から見ると略Ｅ字形状を呈するように形成され（図４参照）、表板２の表板内面１５に沿って平行になるように配設される長手形状の横架連結部１６と、横架連結部１６のそれぞれの両端から長手方向に直交するように曲折された一対のコーン連結脚１７ａ，１７ｂと、横架連結部１６の中央付近からコーン連結脚１７ａ等の突出方向に沿って設けられたブリッジ連結脚１８とを具備するものである。なお、本実施形態のギター１においては、計４本のブレースバー３が表板内面１５に取付けられており、表板内面１５の高音振動領域ＨＲには、長手形状が比較的短いブレースバー３が用いられ、低音振動領域ＬＲには、高音振動領域ＨＲよりも長いブレースバー３が用いられている。
【００３３】
そして、ブレースバー３のコーン連結脚１７ａ，１７ｂには、それぞれ木材を薄板状に加工した断面略楕円形状のコーン部４が接着剤を介して接着されている。ここで、各コーン部４の大きさは、前述の高音振動領域ＨＲに取付けられるブレースバー３用には、比較的振動面積が小さなものが利用され、一方、低音振動領域ＬＲに取付けられるブレースバー３用には、比較的振動面積が大きなものが用いられている。
【００３４】
一方、コーン部４の取付けられたブレースバー３の取設される表板２は、表板内面１５が、前述のコーン部４の外周形状に略一致するように形成され、表板外面５に取付けられたブリッジ１１を間に挟むようにして互いに対向するように一対の凹部２１ａ，２１ｂが計４組設けられている。ここで、凹部２１ａ等の形状は、コーン部４の外周形状よりも僅かに大きくなるように形成されている。そのため、コーン部４の一方の振動面２２を凹部２１ａ等の底面２３に当接するように緩挿し貼着すると、コーン部４の外周面２４及び凹部２１ａ等の凹部側壁２５の間に所定の間隔の隙間が形成された状態となる。なお、上記説明において、ブレースバー３とコーン部４を予め接着し、その後、表板内面１５の凹部２１ａ等に接着するものを示したがこれに限定されるものではなく、凹部２１ａ等及びコーン部４を先に接着し、その後ブレースバー３のコーン連結脚１７ａ等とコーン部４を接着するものであってももちろん構わない。ここで、コーン部４及び凹部２１ａ等が本発明のコーン振動調整部（振動調整手段）に相当する。
【００３５】
すなわち、図４に示すように、表板２はブレースバー３によって三点で支持されるとともに、ブレースバー３の両端のコーン連結脚１７ａ，１７ｂと連結されたコーン部４は、それぞれ凹部２１ａ，２１ｂに所定の隙間を保った状態で貼着されることになる。なお、ブレースバー３の横架連結部１６の中央付近から延設されたブリッジ連結脚１８は、表板２の表板内面１５に接着剤を介して直に接着されている。ここで、ブリッジ連結脚１８の表板内面１５の接着位置は、相対する表板２の表板外面５にはブリッジ１１が取付けられおり、弦１３を弾いたことにより振動がブリッジ１１から表板２に最もダイレクトに伝達される部位である。
【００３６】
上記構成を採用することにより、第一実施形態のギター１は、弦１３を弾いた振動がブリッジ１１を介して表板２及びブリッジ連結脚１８を通じてブレースバー３の全体に伝搬し、さらにブレースバー３のコーン連結脚１７ａ，１７ｂを介してコーン部４及び凹部２１ａ，２１ｂ、さらには表板２に伝搬することとなる。これにより、ボディ８の内部に弦１３を弾いたことによりブレースバー３によって伝搬した表板２のコーン部４が振動することにより、音が発生する。なお、コーン部４及び凹部２１ａ等からなるコーン振動調整部（振動調整手段）の代替として、例えば、表板内面１５に所定幅の溝部を設け、当該溝部の一端同士を連結することにより、溝部で周囲を囲った凸部を具備する溝部振動調整部を振動調整手段として利用するものであっても構わない。これにより、音量の増大等の上記コーン振動調整部と同等の作用効果を奏することが可能となる。さらに、凸部の上面に上述のコーン部４と同様の薄板状の部材を貼着しても構わない。
【００３７】
次に、本発明の第二実施形態のギター３１について、図５及び図６に基づいて説明する。ここで、図５は第二実施形態のギター３１の表板３２の構成及びブレースバー３３のレイアウトを示す説明図であり、図６はブレースバー３３の取付けられた表板３２の構成を示すＢ−Ｂ概略断面図である。なお、第二実施形態のギター３１の外観構成は、第一実施形態のギター１と略同一であるため（図１参照）、ここではその詳細については省略する。ここで、第二実施形態のギター３１は、第一実施形態のギター１と比して、表板３２に設けられた補助のサウンドホールとして機能する貫通孔部３４、該貫通孔部３４に緩挿し、支持される第二コーン部３５（第二振動コーン部に相当）、及びＸ字形状を呈するブレースバー３３を具備する点で相違している。以下、この相違点について特に詳述する。
【００３８】
第二実施形態のギター３１は、図５及び図６に示すように、ギター３１の表板３２の中央付近に設けられた円形状のサウンドホール１４の下方であって、表板外面３７に取設されたブリッジ１１の上方及び下方に相当する位置に、該サウンドホール１４よりも小さな二つの貫通孔部３４が表板内面３６及び表板外面３７を貫通するようにそれぞれ設けられている。なお、ブリッジ１１の上方位置及び下方位置の表板内面３６には、第一実施形態のギター１の表板２と同様に切削加工によって形成された二つの凹部３８がそれぞれ設けられている。すなわち、二つの凹部３８に対して一つの貫通孔部３４がペアとなるように設けられている。
【００３９】
ここで、それぞれの凹部３８は、第一実施形態のギター１において示したように凹部３８と略同一形状に形成され、緩挿されることにより、凹部３８との凹部側壁３９との間に所定の間隔の隙間が形成されるコーン部４４が貼着可能となっている。
【００４０】
さらに、ブレースバー３３は、図５等に示すように、三本の横架連結部４０を互いに交差するようにして＊形状を呈するように構成され、それぞれの横架連結部４０の両端から横架連結部４０の長手方向に直交するように曲折した一対のコーン連結脚４１ａ，４１ａ（または４１ｂ，４１ｂ）が設けられている。さらに、横架連結部４０の交差した箇所で、コーン連結脚４１ａ等に沿って表板内面３６に向かって突出したブリッジ連結脚１８が形成されている。ここで、一方のコーン連結脚４１ａ、換言すると、凹部３８に連結されるコーン連結脚４１ａは、第一実施形態のギター１と同様に先端にコーン部４４が取付けられ、該コーン部４４が凹部３８に貼着されている。また、他方のコーン連結脚４１ｂには、第二振動板３５が取付けられ、該第二振動板３５は表板３２に貫設した貫通孔部３４に緩挿して支持されている。このとき、図６に示すように、第二振動板３５の外周面４２と貫通孔部３４の貫通孔壁部４３との間には所定の隙間が形成されている。すなわち、第二振動板３５は、貫通孔部３４に挿入された状態で周囲に接することなくコーン連結脚４１ｂのみによって支持された状態にある。
【００４１】
ここで、図５及び図６において、貫通孔部３４に挿入される第二振動板３５の形状を薄板状を呈するものを図示しているが、これに限定されるものではなく、例えば、半円球状等の形状にすることにより、表板３２の響きや残響を適宜調整することが可能となる。
【００４２】
上記構成を採用することにより、第二実施形態のギター３１は、表板３２に複数のサウンドホールとして機能する貫通孔部３４を有し、さらに表板内面３６に取設されたブレースバー３３によって音特性をより向上させることができる。
【００４３】
次に、本発明の第三実施形態のギター５１について、図７に基づいて説明する。ここで、図７は第三実施形態のギター５１の表板５２の構成を示す断面図である。第三実施形態のギター５１は、図７に示すように、表板５２の表板内面５３に切削加工して形成された凹部５４と、該凹部５４に緩挿して貼着されるコーン部５５を具備するものである。すなわち、既に述べた第一実施形態のギター１において、ブレースバー３の構成を省略したものである。
【００４４】
上記構成であっても、表板５２の振動の調整をすることが可能となる。ここで、凹部５４を形成しないで、コーン部５５を表板５２に直接取設した場合、コーン部５５によって表板５２の振動を抑制する結果となり、音が小さくなるなどの不具合が発生する可能性がある。そのため、コーン部５５をできる限り薄くし、表板５２の振動を阻害しないようにするとともに、かつ凹部５４を深く形成することにより、音特性の向上を図ることが可能となる。また、凹部５４及びコーン部５５の構成を裏板（図示しない）に設けた場合であっても、同様の音特性の向上を図ることが期待される。
【００４５】
次に、本発明の第四実施形態のギターについて、図８に基づいて説明する。ここで、図８は第四実施形態のギター６１のブレースバー６２及び魂柱６３の構成を示す（ａ）内部構造を示す説明図、（ｂ）Ｃ−Ｃ断面図、（ｃ）ブレースバー６２の構成を示す斜視図である。なお、ギター６１の基本的な構成は、前述した第一実施形態等のギター１等と略同一のものであり、説明を簡略化するため、ここでは相違する構成のみについて説明を行うものとする。
【００４６】
第四実施形態のギター６１は、図８に示すように、表板６４の表板外面６５に設けられたブリッジ６６と相対する位置の表板内面６７に設けられたバー基礎部６８、及びバー基礎部６８の上面６９と接続し、ブリッジ６６の長手方向に対して直交する方向に延設された略棒状の振動部７０（図８（ａ），（ｃ）参照）を有し、側方から観察するとＴ字形状に形成されたブレースバー６２（図８（ｂ），（ｃ）参照）と、振動部７０のそれぞれの先端７１ａ，７１ｂから垂設され、柱先端部７２が裏板７３の裏板内面７４に取設されたコーン振動調整部（図示しない）の一部と接続した魂柱６３とを有して構成されている。ここで、コーン振動調整部は、先に示した第一実施形態のギター１と同一の作用効果を奏するものであるため、ここでは説明を簡略化するために、当該説明及び図８における図示を省略している。そのため、図８では、裏板内面７４に柱先端部７２が直に接している。なお、コーン振動調整部は、第一実施形態のギター１と同様に、溝部振動調整部にするものであっても構わない。
【００４７】
すなわち、ギター６１の表板６４及び裏板７３の間には、ブレースバー６２及び魂柱６３が介設されるようになっている。このとき、魂柱６３の柱先端部７２は、裏板内面７４に取設されたコーン振動部の一部と接しておれば、接着剤等の固定手段によって固定されていなくともよい。
【００４８】
上記構成により、表板６４及び裏板７３の振動の調整をすることが可能となる。すなわち、係る構成の際に弦を弾くと、ブリッジ６６を介して表板６４に振動が伝達し、さらにボディ内部の中空空間７５の空気が振動する。また、ブレースバー６２及び魂柱６３を介して裏板７３にも伝達される。このとき、本発明のギター６１は、表板６４及び裏板７３を連結するブレースバー６２及び魂柱６３を有しているため、ブレースバー６２及び魂柱６３を通じても裏板７３に伝達されることとなる。特に、ブレースバー６２の振動部７０がブリッジ６６に直交し、互いの先端７１ａ，７１ｂからそれぞれで裏板内面７４と接する一対の魂柱６３が設けられていることにより、弦の振動がブリッジ６６を挟んで、ギター６１の上下にそれぞれ伝達されることとなり、音量の増大が期待される。
【００４９】
以上、本発明について好適な実施形態を数例挙げて説明したが、本発明はこれらの実施形態に限定されるものではなく、以下に示すように、本発明の要旨を逸脱しない範囲において、種々の改良及び設計の変更が可能である。
【００５０】
すなわち、第一乃至第三実施形態において、円板状のコーン部４等を使用するものを示したが、これに限定されるものではなく、例えば、円錐形状、半円球状、及び波形状の種々の形状のコーン部４を用いることが可能である。これにより、調整される音の特性を微妙に変化させることが可能となり、ギター１等の弦楽器によって発せられる音の共鳴等を豊かなものとすることができる。
【００５１】
さらに、第四実施形態において、Ｔ字形状のブレースバーを用いたものを示したが、これに限定されるものではなく、Ｌ字形状のブレースバーを構成し、一本の魂柱６３が裏板内面７４と当接するものであっても構わない。これにより、裏板内面７４に伝達される振動を調整することができる。
【符号の説明】
【００５２】
１，３１，５１，６１  ギター（弦楽器）
２，３２，５２，６４  表板
３，３３，６２  ブレースバー
４，４４，５５  コーン部（振動コーン部）
５，３７，６５  表板外面
６  側板
８  ボディ
１１，６６  ブリッジ
１５，３６，５３，６７  表板内面
１６，４０  横架連結部
１７ａ，１７ｂ，４１ａ  コーン連結脚
１８，４２  ブリッジ連結脚
２１ａ，２１ｂ，３８，５４  凹部
２５，３９  凹部側壁
３４  貫通孔部
３５  第二コーン部（第二振動コーン部）
４１ｂ  コーン連結脚（第二コーン連結脚）
６３  魂柱
６８  バー基礎部
７０  振動部
７３  裏板
【図１】
2010049289.tif 000003
【図２】
2010049289.tif 000004
【図３】
2010049289.tif 000005
【図４】
2010049289.tif 000006
【図５】
2010049289.tif 000007
【図６】
2010049289.tif 000008
【図７】
2010049289.tif 000009
【図８】
2010049289.tif 000010